(57)【特許請求の範囲】
【請求項１】
物性の異なる電池を使用可能な電子装置において、
前記電池に初期蓄積されている電池容量を、装置の単独の基準動作１回の電荷使用量に換算し、前記単独の基準動作の実行回数として設定する基準動作実行回数設定手段と、
前記装置の個別の動作の積み重ねを前記単独の基準動作に換算するために、当該個別動作の積み重ねによる前記電池の電荷使用量を前記単独の基準動作１回で使用する電荷使用量に換算し、装置の前記単独の基準動作回数として求める基準動作実行回数積算手段と、
前記設定された基準動作の実行回数と前記積算された基準動作の実行回数とに基づいて、電池残容量又は電池使用容量を前記単独の基準動作の実行回数として検出する検出手段と、
前記検出された前記単独の基準動作の実行回数を表示する表示手段と
を備えていることを特徴とする電子装置。
【請求項２】
物性の異なる電池を使用可能なカメラの照明装置において、
前記電池に初期蓄積されている電荷量を、単独の基準発光１回で使用する電荷量に換算し、前記単独の基準発光の発光回数として設定する発光回数設定手段と、
個別の発光動作の積み重ねを前記単独の基準発光に換算するために、当該個別の発光動作に要する前記電池の電荷使用量を当該個別の発光動作１回の発光量に基づいて積算し、前記積算された電荷使用量を前記単独の基準発光の発光回数に換算して求める基準発光回数積算手段と、
前記設定された基準発光の発光回数と前記積算された基準発光の発光回数とに基づいて、電池残容量又は電池使用容量を前記単独の基準発光の発光回数として検出する検出手段と、
前記検出された前記単独の基準発光の発光回数を表示する表示手段と
を備えていることを特徴とするカメラの照明装置。
【請求項３】
請求項２記載のカメラの照明装置において、
前記基準発光回数積算手段は、発光時におけるパルス数を計数し、前記計数されたパルス数とあらかじめ記憶されている基準発光時のパルス数とを比較して、前記基準発光の発光回数に換算することを特徴とするカメラの照明装置。
【請求項４】
請求項２記載のカメラの照明装置において、
前記基準発光回数積算手段は、発光時の電荷量使用量と、あらかじめ記憶されている基準発光時の電荷量使用量とを比較して、前記基準発光の発光回数に換算することを特徴とするカメラの照明装置。
【発明の詳細な説明】
【技術分野】
【０００１】
本発明は、物性の異なる複数種類の電池（アルカリ電池、ニッケル水素電池等）を使用可能な照明装置などの電子装置において、物性の異なる各電池に適合した電池残量表示を行う照明装置等の電子装置及びその電気量を算出する方法に関する。
【背景技術】
【０００２】
従来のカメラの照明装置は、電池残量が少なくなって主コンデンサの充電時間が一定時間を超えたとき、「電池交換をして下さい」というようなバッテリアウト表示を行ったり、主コンデンサの充電時間を短くして充電完了とする処理を行っていた（特許文献１参照）。
【特許文献１】特開平９−５４３６０号公報
【発明の開示】
【発明が解決しようとする課題】
【０００３】
従来技術では、ユーザはバッテリアウト表示や主コンデンサの充電時間の短縮によってバッテリ交換の必要性を認識することが可能である。しかし、照明装置があと何回発光できるかは、電池の種類や照明装置の１回の発光量に応じて異なる。したがって、ユーザは、照明装置があと何回発光可能であるかを認識することができないという課題がある。そのため、前記バッテリアウト表示等にしたがって電池交換を行うと、シャッタチャンスを逃してしまうことがあった。【０００４】
本発明は、前記した従来技術の課題に鑑み為されたもので、物性の異なる電池の種類に応じて、照明装置等の電子装置の電池残量を基本動作実行回数に置き換えてユーザに知らせることが可能な電子装置及びその方法を提供することを目的とする。
【課題を解決するための手段】
【０００５】
請求項１記載の電子装置は、物性の異なる電池を使用可能な電子装置において、電池に初期蓄積されている電池容量を、装置の単独の基準動作１回の電荷使用量に換算し、単独の基準動作の実行回数として設定する基準動作実行回数設定手段と、装置の個別の動作の積み重ねを単独の基準動作に換算するために、当該個別動作の積み重ねによる電池の電荷使用量を単独の基準動作１回で使用する電荷使用量に換算し、装置の単独の基準動作回数として求める基準動作実行回数積算手段と、設定された基準動作の実行回数と積算された基準動作の実行回数とに基づいて、電池残容量又は電池使用容量を単独の基準動作の実行回数として検出する検出手段と、検出された単独の基準動作の実行回数を表示する表示手段とを備えていることを特徴とする。
【０００６】
請求項２記載のカメラの照明装置は、物性の異なる電池を使用可能なカメラの照明装置において、電池に初期蓄積されている電荷量を、単独の基準発光１回で使用する電荷量に換算し、単独の基準発光の発光回数として設定する発光回数設定手段と、個別の発光動作の積み重ねを単独の基準発光に換算するために、当該個別の発光動作に要する電池の電荷使用量を当該個別の発光動作１回の発光量に基づいて積算し、積算された電荷使用量を単独の基準発光の発光回数に換算して求める基準発光回数積算手段と、設定された基準発光の発光回数と積算された基準発光の発光回数とに基づいて、電池残容量又は電池使用容量を単独の基準発光の発光回数として検出する検出手段と、検出された単独の基準発光の発光回数を表示する表示手段とを備えていることを特徴とする。
【０００７】
請求項３記載のカメラの照明装置は、請求項２記載のカメラの照明装置において、基準発光回数積算手段は、発光時におけるパルス数を計数し、計数されたパルス数とあらかじめ記憶されている基準発光時のパルス数とを比較して、基準発光の発光回数に換算することを特徴とする。【０００８】
請求項４記載のカメラの照明装置は、請求項２記載のカメラの照明装置において、基準発光回数積算手段は、発光時の電荷量使用量と、あらかじめ記憶されている基準発光時の電荷量使用量とを比較して、基準発光の発光回数に換算することを特徴とする。【０００９】
また、この発明にかかる撮像装置用の照明装置は、被写体を照明する照明光を発光する発光部と、発光部が発光するための電力を供給する着脱可能な電源を装填する電源装填部と、発光部の発光量を検出してパルス数に換算する発光量検出部と、発光量検出部が換算したパルス数を積算して記憶するパルス積算部と、パルス積算部が積算したパルス積算値に基づいて、使用電気量を演算するＣＰＵと、演算した使用電気量を表示する表示部とを備えることを特徴とする。【００１０】
また、この発明にかかる撮像装置用の照明装置は、好ましくは電源装填部への電源装填時の電源の容量を設定する初期電源容量設定部を備え、電源は、満充電されたニッケル水素電池又は未使用のリチウムイオン電池又は未使用のマンガン電池又は未使用のアルカリ電池であって、初期電源容量設定部には、電池に対応する初期電池容量が設定され、ＣＰＵは、初期電源容量設定部に設定された初期電池容量と、使用電気量と、に基づいて電源の残電源容量を演算し、表示部は、使用電気量又は残電源容量を表示することを特徴とする。【００１１】
また、この発明にかかる撮像装置用の照明装置は、好ましくは発光部に所定の発光量で発光させる複数の発光モ−ドから一つの発光モ−ドを選択する設定する発光モ−ド設定部と、複数の発光モ−ドでの所定の発光量に対応するパルス数を予め記録する記憶部と、を備えＣＰＵは、使用電気量又は残電源容量を、発光モ−ド設定部に選択される発光モ−ドでの発光回数に換算し、表示部は、ＣＰＵが換算した発光回数を表示することを特徴とする。【００１２】
また、この発明にかかる撮像装置用の照明装置は、さらに好ましくは発光部で照明光を発光させる第一の発光モ−ド、又は表示部に表示する発光回数の演算に用いる第二の発光モ−ドを設定する発光モ−ド設定部と、発光モ−ドの発光量に対応するパルス数を予め記録する記憶部とを備え、ＣＰＵは、使用電気量又は残電源容量を、発光モ−ド設定部に設定される第二の発光モ−ドでの発光回数に換算し、表示部は、ＣＰＵが換算した発光回数を表示することを特徴とする。【００１３】
また、この発明にかかる撮像装置用の照明装置は、さらに好ましくは照明装置の待機電流量を算出してパルス数に換算する待機電流量算出部を備え、パルス積算部は、発光量検出部が換算したパルス数と待機電流量算出部が換算したパルス数とを併せて積算することを特徴とする。【００１４】
また、この発明にかかる撮像装置用の照明装置は、さらに好ましくは待機電流量算出部が、ＣＰＵでカウントする待機電流の流れる期間と、予め記憶部に記録された単位時間あたりの待機電流量と、の積から待機電流量を算出してパルス数に換算することを特徴とする。【００１５】
また、この発明にかかる撮像装置用の照明装置は、さらに好ましくはパルス積算部が記憶する積算パルス数をリセットするリセット信号を入力する操作部と、電源の着脱を検出する着脱検出部とを備え、パルス積算部の積算パルス数は、操作部からのリセット信号の入力又は着脱検出部による電源の着脱検出によりリセットされることを特徴とする。【００１６】
また、この発明にかかる被写体を照明する照明光を発光する撮像装置用の照明装置で使用する電気量を算出する方法は、照明装置が発光するとその発光量を検出してパルス数に換算する発光量検出工程と、複数回の発光に対応するパルス数を順次積算してパルス積算値を算出するパルス積算工程と、パルス積算値に基づいて、使用電気量を演算する使用電気量演算工程とを有することを特徴とする。【００１７】
また、この発明にかかる被写体を照明する照明光を発光する撮像装置用の照明装置で使用する電気量を算出する方法は、好ましくは照明装置に電池を装填してからの待機電流の積算値を算出する待機電流積算工程を有し、使用電気量演算工程は、パルス積算値と待機電流の積算値とに基づいて使用電気量を演算することを特徴とする。【００１８】
また、この発明にかかる被写体を照明する照明光を発光する撮像装置用の照明装置で残電池容量を算出する方法は、照明装置に装填される着脱可能な電池の満電池容量を設定する電池容量設定工程と、照明装置が発光するとその発光量を検出してパルス数に換算する発光量検出工程と、複数回の発光に対応するパルス数を順次積算してパルス積算値を算出するパルス積算工程と、パルス積算値に基づいて、使用電気量を演算する使用電気量演算工程と、満電池容量と使用電気量とを用いて残電池容量を算出する残電池容量算出工程とを有することを特徴とする。【００１９】
また、この発明にかかる被写体を照明する照明光を発光する撮像装置用の照明装置で残電池容量を算出する方法は、好ましくは照明装置に電池を装填してからの待機電流の積算値を算出する待機電流積算工程を有し、使用電気量演算工程は、パルス積算値と待機電流の積算値とに基づいて、使用電気量を演算することを特徴とする。
【発明の効果】
【００２０】
本発明によれば、カメラの照明装置の電池残量及び電子装置の電池残量を、物性の異なる電池の種類に応じて、装置の基本動作実行回数に置き換えてユーザに知らせることが可能なカメラの照明装置及び電子装置及びその方法を提供することができる。
【図面の簡単な説明】
【００２１】
【図１】本発明の第１の実施形態の動作例を示すフローチャートである。
【図２】本発明の第１の実施形態において、電池残量を直接ユーザに知らせる手順を示すフローチャートである。
【図３】本発明の第１の実施形態における発光量（縦軸）と発光回数（横軸）の関係の一例を示す図である。
【図４】マニュアルフル発光Ｍ１／１におけるアルカリ電池およびニッケル水素電池の充電時間（縦軸）と発光回数（横軸）の関係を示す図である。
【図５】本発明の第２の実施形態を示す回路図である。
【図６】メインコンデンサの充電状態を示す図である。
【図７】電池残容量表示の第１の例を示す図である。
【図８】電池残容量表示の第２の例を示す図である。
【図９】電池残容量表示の第３の例を示す図である。
【図１０】照明装置のブロック概念図である。
【図１１】照明装置の演算表示フロ−概念図である。
【発明を実施するための最良の形態】
【００２２】
以下、添付の図面に示す実施形態について説明する。
＜実施形態の概要＞
図１から図４は本発明の第１の実施形態の説明図である。この実施形態では、電子装置としてカメラの照明装置を例にして説明する。【００２３】
最初に照明装置に満充電された電池又は未使用（新品）の電池を電池ボックスにセットする。次に、ユーザは照明装置の電源をオンにして、電池ボックスにセットした電池を選択する。選択する電池の種類としては、リチウムイオン充電池、ニッケル水素充電池等の充電池（２次電池）や、マンガン乾電池、アルカリ乾電池等の１次電池等がある。ユーザーの操作釦により使用する電池が選択されると、選択された電池におけるマニュアルフル発光での最大発光回数をＩＣ内のメモリから読み出しＳmaxとして、マニュアルフル発光で放電する際に必要な放電量を制御する制御用のパルスの数をＩＣ内のメモリから読み出しＰfullとしてそれぞれ設定する。ここで、Ｍ１／１はマニュアルフル発光を意味し、Ｍ１／２は、発光量がフル発光時の１／２となる発光を意味する。各電池の最大発光回数および制御パルス数は予めＩＣ内のメモリに記憶されている。各電池における最大発光回数およびパルス数は工場出荷前に各照明装置に合わせて調整してＩＣ内のメモリに記憶される。また、最大発光回数についてはユーザーにより別途設定可能としても良い。【００２４】
次に、ユーザは通常の撮影を行う。ユーザが撮影した時の発光（ＴＴＬ発光、マニュアル発光等）量をマニュアルフル発光Ｍ１／１に換算して発光回数として求める。そして、求めた発光回数と前記最大発光回数Ｓmaxと比較して、あと何回最大発光を行えるかを演算する。【００２５】
ここで、ＴＴＬやマニュアル発光等が混在しても各発光量を積分し、マニュアルフル発光Ｍ１／１で何回発光したのかを演算する。そのマニュアルフル発光Ｍ１／１での発光回数とユーザが使用している電池におけるマニュアルフル発光Ｍ１／１での最大発光回数Ｓmaxをと比較して、電池残量を表示する。メインコンデンサから発光体に放電される電荷量は、デジタル放電では、よく知られているように、放電を許容する役割を有するパルス数を計数することによって容易に知ることができる。【００２６】
なお、マニュアルフル発光Ｍ１／１を何回行えるかを演算するのではなく、例えばマニュアル発光Ｍ１／２やマニュアル発光Ｍ１／４やマニュアル発光Ｍ１／１６等を何回行えるかを演算してもよい。また、マニュアルフル発光Ｍ１／１を何回行えるかを演算するのではなく、例えばマニュアルフル発光Ｍ１／１やマニュアル発光Ｍ１／２やマニュアル発光Ｍ１／４やマニュアル発光Ｍ１／１６等を既に何回実行したかを演算してもよい。
＜第１の実施形態＞
次に、図１に示すフローチャートを用いて、第１の実施形態（照明装置）の動作について説明する。【００２７】
ステップＳ１において、マイコンは、電池の種類に応じて、マニュアルＭ１／１での最大発光回数Ｓmaxとマニュアルフル発光Ｍ１／１での前記パルス数Ｐfullを設定する。【００２８】
ステップＳ２において、ユーザが満充電又は未使用（新品）の電池を照明装置に入れ、照明装置の電源をオンにする。これにより、ユーザは電池ボックスに入れた電池を照明装置に対して指定することが可能になる。ユーザが電池の種類を指定すると、照明装置のマイコンは、指定された電池のマニュアルＭ１／１での最大発光回数Ｓmaxとマニュアルフル発光Ｍ１／１での前記パルス数Ｐfullを前記記録媒体から読み出す。【００２９】
ステップＳ３において、ユーザが撮影を行ったときの各発光におけるパルス数をＰsin、各発光でのパルス数の積分値をＰint、マニュアルフル発光Ｍ１／１での発光回数をＳｍ１／１と定義する。【００３０】
ステップＳ４において、ユーザが撮影を行い、照明装置を発光させると、マイコンはバッテリ残表示のための演算を開始する。【００３１】
ステップＳ５において、マイコンは当該発光におけるパルス数Ｐsinと各発光でのパルス数の積分値Ｐintとを加算し、積分値Ｐintを更新する（Ｐint＝Ｐint＋Ｐsin）。【００３２】
ステップＳ６において、マイコンはパルス数の積分値Ｐintとマニュアルフル発光Ｍ１／１でのパルス数Ｐfullとを比較する。比較の結果、パルス数の積分値ＰintがＰfullよりも大きければステップＳ７に進み、パルス数の積分値ＰintがＰfullよりも小さければステップＳ４に戻ってステップＳ４からステップＳ６の処理を繰り返す。【００３３】
ステップＳ７において、マイコンはマニュアルフル発光Ｍ１／１での発光数Ｓｍ１／１に１を加算して、発光数Ｓｍ１／１を更新する。【００３４】
ステップＳ８において、マイコンは（Ｐint＝Ｐint−Ｐfull）の計算を行う。これにより、Ｐintの値はＰfullの値よりも小さな値にする。パルス数の積分値Ｐintの範囲は、０≦Ｐint＜Ｐfullである。【００３５】
ステップＳ９において、マイコンは、電池残量をマニュアルフル発光Ｍ１／１の発光可能回数に置き換えて液晶等に表示し、ユーザに知らせる。【００３６】
次に、ステップＳ９に示す発光可能回数表示について詳しく説明する。照明装置のマイコンは、マニュアルフル発光Ｍ１／１の発光回数Ｓｍ１／１と、当該電池におけるマニュアルフル発光Ｍ１／１での最大発光回数Ｓmaxとを比較する。【００３７】
マイコンが（Ｓmax−Ｓｍ１／１）の計算を行うと、マニュアルフル発光Ｍ１／１をあと何回行えるかを計算することができる。また、これによって、マニュアルＭ１／２発光であればあと何回行えるか、マニュアルＭ１／４発光であればあと何回行えるか等を計算することができる。これらは、照明装置の液晶等の表示部に適宜表示させることができる。【００３８】
図２は、電池残量を直接ユーザに知らせる手順を示すフローチャートである。【００３９】
ステップＳ１０において、照明装置のマイコンは、マニュアルフル発光Ｍ１／１の発光回数Ｓｍ１／１と、当該電池におけるマニュアルフル発光Ｍ１／１での最大発光回数Ｓmaxとを比較する。理論上（Ｓｍ１／１）／Ｓmaxの範囲は、０＜（Ｓｍ１／１）／Ｓmax≦１である。【００４０】
図２のステップＳ１０において、照明装置のマイコンは、（Ｓｍ１／１）／ＳmaxがＡよりも小さいか否かを判定する。【００４１】
図２において、数値Ａ，Ｂ，…，Ｚは、（Ｓｍ１／１）／Ｓmaxと同じ範囲にある数値であり（すなわち、０＜Ａ，Ｂ，…，Ｚ≦１）、Ａ→Ｂ→…→Ｙ→Ｚのようにアルファベットの文字順位が後になればなるほど、アルファベット文字が意味する数値は大きくなる。【００４２】
具体的には、ステップＳ１０，Ｓ１１に示すように、Ａ＝０．３では、「電池残量ＦＵＬＬ」を表示し、ステップＳ１２，Ｓ１３に示すようにＢ＝０．６では「電池残量半分」を表示し、ステップＳ１４，Ｓ１５に示すようにＺ＝０．９５では「電池残量極めて少ない」等を表示する。また、ステップＳ１６では「電池残量ほぼゼロ」等を表示する。【００４３】
図２は、電池残量を発光可能回数で表示するのではなく、電池残容量として表示する例を示している。【００４４】
図３は、ユーザが照明装置を撮影時に発光させたときの発光量と発光回数の関係の一例を示す図である。図３では、縦軸が発光量を意味し、横軸がその発光回数を意味する。ユーザは、図３を見ることによって、ユーザ自身の照明装置の使用方法を知ることができる。例えば、Ｍ１／１発光等が多いユーザは、発光量の多い発光を数多く行なっているため、予備電池を持つ必要がある。また、Ｍ１／１２８等の多いユーザは、発光量の少ない発光を数多く行なっているため、予備電池は不要である。【００４５】
図４は、マニュアルフル発光Ｍ１／１におけるアルカリ電池およびニッケル水素電池の充電時間（縦軸）と発光回数（横軸）の関係を示す図である。図４から明らかなように、アルカリ電池およびニッケル水素電池の双方が、発光回数と充電時間の関係において放物線状の特性を有している。そのため、例えばニッケル水素電池では、残発光回数が２０〜３０回にならないと電池がなくなりそうだということがわからない。したがって、充電時間だけで発光制御を行うと、残発光回数が約２０〜３０回になった状態でしかユーザに電池残量情報を知らせることができない。【００４６】
しかし、ユーザは毎回マニュアルフル発光Ｍ１／１を行うわけではなく、発光方法によってメインコンデンサの残電圧は異なる。そのため、メインコンデンサの充電時間で電池残量制御を行うことは不可能である。また、図４に示すように、充電時間が長くなるということは、電池から十分な充電電流を流すことができなくなるということを意味する。【００４７】
しかし、第１の実施形態によれば、電池の種類（物性の異なる電池）毎に、ユーザはＭ１／１発光、又はＭ１／２発光、Ｍ１／４発光等…を何回行えるか、常に認識することができる。また、ユーザは、電池の種類（物性の異なる電池）毎に、電池残量を常に認識することができる。したがって、本実施形態は、バッテリアウト表示では達成できない特有の効果を有している。
＜第２の実施形態＞
図５は第２の実施形態を示す回路図である。図５において、Ｅは電源、１は高電圧用ＤＣ／ＤＣコンバータ、２は低電圧用ＤＣ／ＤＣコンバータ、３はＣＰＵ、４はスイッチ回路、５は発光回路、Ｒ１，Ｒ２は抵抗、Ｃはメインコンデンサである。【００４８】
図５において、低電圧用ＤＣ／ＤＣコンバータ２はＣＰＵに動作電圧を与えている。また、高電圧用ＤＣ／ＤＣコンバータ１は、メインコンデンサＣに電荷を蓄積するためのものである。スイッチ回路４がオンすると、コンデンサＣへの電荷蓄積が開始し、コンデンサＣの電圧が上昇する。コンデンサＣの電圧は、ＣＰＵ３が抵抗Ｒ１，Ｒ２の分圧値を監視しているため、容易に把握できる。【００４９】
すなわち、図６に示すように、メインコンデンサＣの電圧が充電開始時刻（ｔ１）において電圧Ｖ１であり，充電終了時刻（ｔ２）において電圧Ｖ２であったとする。このとき、メインコンデンサＣに充電される電荷量Ｑｎは、Ｑｎ＝Ｃ（Ｖ２−Ｖ１）＝Ｃ・△Ｖｎである。【００５０】
また、マニュアルフル発光Ｍ１／１を実行したときに、メインコンデンサＣから放電される電荷量（使用電荷量）をＱＭ１／１とすると、ＱＭ１／１＝Ｃ・△ＶM1/1である。ここで，△ＶM1/1は、放出可能な最大電圧差（Ｖ２−Ｖ１）である。【００５１】
このとき、満充電状態の電池がマニュアルフル発光Ｍ１／１を実行可能な回数をＮとすると、満充電状態の電池が蓄えている電荷量は、Ｎ・Ｃ・△ＶM1/1である。【００５２】
１回の発光で使用される電荷量Ｑｎは、メインコンデンサＣの電圧がＶ２からＶ１に低下するので、Ｑｎ＝Ｃ（Ｖ２−Ｖ１）＝Ｃ・△Ｖｎである。【００５３】
照明装置が、ｎ回発光するとき使用される総電荷量は、△Ｑ１＋△Ｑ２＋……＋△Ｑｎ＝Ｃ・（△Ｖ１＋△Ｖ２＋……＋△Ｖｎ）である。ここで、発光量△Ｑｉ（ｉ＝１，２，…，ｎ）は、発光毎に異なり、総電荷量が満充電の電池から放電されたことになる。【００５４】
したがって、電池がマニュアルフル発光Ｍ１／１を実行できる回数ｍは、ｍ＝［Ｎ・Ｃ・△ＶM1/1−Ｃ・（△Ｑ１＋△Ｑ２＋……＋△Ｑｎ）］／Ｃ・△ＶM1/1＝［Ｎ・△ＶM1/1−（△Ｑ１＋△Ｑ２＋……＋△Ｑｎ）］／△ＶM1/1となる。【００５５】
なお、照明装置をフル発光させるのではなく、マニュアル発光Ｍ１／２、マニュアル発光１／４など（以下、１／Ｘ発光と称する。Ｘ＝２，４…）を行う場合には、前式の分母に記載の「△ＶM1/1」を「△ＶM1/X」に置き換える。ここで、△ＶM1/X＝△ＶM1/1／Ｘである。【００５６】
以上の説明から明らかなように、第２の実施形態によれば、電池残量に基づいて発光量に対応した発光回数を求め、ユーザに発光量に対応した残発光回数を表示することができる。
＜ＬＣＤへの表示例＞
図７（ａ）はマニュアルフル発光Ｍ１／１を実行する場合の電池残容量表示の第１の例を示す図であり、図７（ｂ）はマニュアル発光Ｍ１／２を実行する場合の電池残容量表示の第１の例を示す図である。【００５７】
図８（ａ）はマニュアルフル発光Ｍ１／１を実行する場合の電池残容量表示の第２の例を示す図であり、図７（ｂ）はマニュアルＭ１／２発光する場合の電池残容量表示の第２の例を示す図である。【００５８】
図９（ａ）はマニュアルフル発光Ｍ１／１を実行する場合の電池残容量表示の第３の例を示す図であり、図７（ｂ）はマニュアル発光Ｍ１／２を実行する場合の電池残容量表示の第３の例を示す図である。【００５９】
なお、以上の説明では、本発明をカメラの照明装置に適用する場合について説明したが、本発明はこれに限定されるものではなく、広く電子機器一般に適用することができる。すなわち、物性の異なる複数種類の電池毎に、電子機器の電池残容量を装置の基準動作１回の電荷使用量に換算し、基準動作の残実行回数を表示し、ユーザに残電池容量を知らせることが可能になる。
<第３の実施形態>
図１０に、本発明の第三の実施形態にかかる照明装置のブロック図を概念的に示す。この図において照明装置１０００は、電源としての電池が挿入される電源装填部１０１０を備える。そして、ＣＰＵ１００２の指示により、例えば６Ｖ程度の電池電圧を昇圧部１０１１にて３３０Ｖまで昇圧し、メインコンデンサ等で構成される充電部１０１２へ、例えば２０Ａ程度の電流を数秒間供給して充電する。通常の電池では、公称容量値の電池セルを１時間で放電終了する電流値を１Ｃ放電として性能指標に用い、この値は、例えば２６００ミリアンペア時の充電電池では、３Ａ程度となる。従って、この実施形態のような照明装置においては電池の変則的な使用であるといえるが、実施形態では電流測定用ＩＣを備えない汎用乾電池等であっても使用電気量の把握が可能である構成をとる。また、昇圧部１０１１は、トランス及びＦＥＴやトランジスタ等のスイッチング素子等から構成される。【００６０】
充電部１０１２に充電された電荷は、発光制御部１０１４の指示により、発光に先立ち操作入力部１００８にて入力設定された第一の発光モ−ドにより、第一の発光モ−ドに対応する所定の発光量にて発光部１００７に供給されて発光に消費される。【００６１】
この際、フォトダイオ−ド等で構成される発光量検出部１００６は、発光部１００７の発光量を検出して光電変換し、所定の電荷量ごとにパルス信号としてＣＰＵ１００２に出力する。これにより、発光量がパルス数として定量的に検出される。また、パルスカウント部１０１３は、発光量検出部１００６から入力されたパルスを積算してカウントする。そして、発光制御部１０１４は、予め発光に先立ち記憶部１００３に記録される第一の発光モ−ドに対応するパルス数と、発光量検出部１００６から入力されるパルスのパルスカウント部１０１３でのカウントパルス数とを比較し、両者が一致した時点で発光部１００７の発光を止める制御を行う。【００６２】
すなわち、発光部１００７での発光量は、発光制御部１０１４が、発光モ−ドと関連付けて予め記憶部１００３に記憶するパルス数と、発光量検出部１００６にて検出するパルス数のパルスカウント部１０１３での積算値と、を比較するフィ−ドバック制御を行うことで制御される。【００６３】
また、記憶部１００３は、フラッシュメモリ１０１７やＲＡＭ１０１６やＲＯＭ１０１８等から構成される。記憶部１００３には、予め複数の発光モ−ドとそれに対応する発光量となるパルス数とが、それぞれ対応させて記録されている。この記録デ−タは、参照テ−ブル形式としてもよく、メンテナンス等のファ−ムアップにて書き換え可能としてもよい。【００６４】
一方、待機電流量算出部１００５では、照明装置１０００の電源がオンされた後の待機電流を算出する。待機電流は、照明装置ごとに、また、液晶などで構成される表示部１００９での表示状況等に応じ、装置固有の値として予めほぼ決まっている。従って、待機電流量算出部１００５は、ＣＰＵ１００２に備えるタイマ−から与えられる電源オンからの時間と単位時間あたりの待機電流との積を演算することで、待機電流による総消費電荷量を演算する。また、待機電流量算出部１００５は、記憶部１００３に予め記録されるパルス数とそのパルス数に対応する電荷量との相関デ−タを用いることで、待機電流の総量をパルス数に換算して算出する。【００６５】
これにより、ＣＰＵ１００２は、発光部１００７による発光にて消費した電荷に対応するパルス数と、待機電流量に対応して換算したパルス数との和から、照明装置１０００の消費電荷量をパルス数として演算することができる。すなわち、パルス積算部１０１５は、電源オンの後、一回の発光により消費された電荷量に対応するパルス数Ｐｓｉｎと、待機電流量のパルス積算値Ｐ（Ｉｉｎｔ）とを合算して、照明装置１０００の総消費電荷量として、パルス数で求める。これにより、電源である電池及びその周辺等に新たに電流計や電流測定用のＩＣを設けなくても使用電気量を把握することが可能となる。【００６６】
この合算パルス数は、ＣＰＵ１００２の指示により、電源オフの時には、記憶部１００３の不揮発性メモリ等に記録しておき、次回の電源オン時に読み出すことができる構成としてもよい。また、パルス積算部１０１５に記憶する構成としてもよい。これにより、電源オンオフにかかわらず、パルス積算部１０１５は、消費される電荷量を継続して積算可能となる。【００６７】
また、着脱検出部１００４は、電源装填部１０１０へ新たな電池が装填されたかどうかを検出する。そして、着脱検出部１００４は、新たな電池の装填を検出すると、ＣＰＵ１００２へリセット信号を出力し、パルス積算部１０１５又は記憶部１００３に記録されるパルス積算値（Ｐｉｎｔ）をリセットして初期状態（Ｐｉｎｔ＝０）とする。【００６８】
したがって、パルス積算部１０１５で積算されるパルス数は、現在装填されている電池での消費電荷量を、電池が交換されない限り継続的に積算することとなる。これにより、その電池が装填されてからの消費電荷量を、正確に算出して把握することが可能となる。【００６９】
また、パルス積算部１０１５で演算される使用電荷量は、ＣＰＵ１００２の指示により表示部１００９に表示することができる。従って、照明装置１０００のオペレ−タは、表示部１００９により、現在使用する電池の使用電荷量を知ることができる。また、表示態様としては、積算したパルス数の総量をそのまま表示してもよい。また、使用する電池の使用可能な総電荷量が予め初期電源容量設定部１０２１から設定されている場合や、記憶部１００３に記録されている場合には、使用した電荷量との差分を取ることで、ＣＰＵ１００２が残電源容量を演算して表示してもよい。この場合においても、電池の装填時の使用可能な初期電荷量をパルス数換算として予め初期電源容量設定部１０２１に設定し、又は記憶部１００３に記録しておくことで、残電源容量の演算は、それに対応するパルス数として計算することが可能となる。【００７０】
発光モ−ド設定部１０２０には、発光部１００７で発光させる発光量や、表示部１００９で残電源容量等を残発光回数として表示する際の指標となる発光量を、照明装置１０００のオペレ−タが任意に設定することが可能である。【００７１】
次に、図１１に示す照明装置の演算表示フロ−概念図を用いて、本実施形態の動作フロ−について説明する。【００７２】
（ステップ１１１）照明装置１０００の電源がオンされると、ＣＰＵ１００２が待機時間の測定を開始する。この、待機時間には発光動作が行われない時間と発光動作が行われる時間の双方が含まれる。すなわち、ＣＰＵ１００２は、電源オンからの時間をすべてカウントする。【００７３】
（ステップ１１２）ＣＰＵ１００２は、着脱検出部１００４で新たな電池の装填が検出されたかどうかを判断する。検出されればステップ１１３へ進み、検出されなければステップ１１ｃへと進む。【００７４】
（ステップ１１３）これまでのパルス積算値を初期化する。すなわち、ＣＰＵ１００２は、記憶部１００３が記憶するＰｉｎｔ又はパルス積算部１０１５が記憶するＰｉｎｔをＰｉｎｔ＝０とする。さらに、電源装填部１０１０に新たに装填された電池の当初の使用可能電荷容量に対応するパルス数Ｐｍａｘを記憶部１００３から読み出す。Ｐｍａｘは、操作入力部１００８の初期電源容量設定部１０２１から設定する構成としてもよい。【００７５】
（ステップ１１４）操作入力部１００８の発光モ−ド設定部１０２０から、発光部１００７の発光量を指示する第一の発光モ−ドを設定する。また、操作入力部１００８の発光モ−ド設定部１０２０から、表示部１００９で残電源容量等を表示する際に利用する第二の発光モ−ドを設定する。【００７６】
発光モ−ドは、既に述べたように、Ｍ１／１、Ｍ１／２、Ｍ１／４、・・・Ｍ１／（２のｎ乗：ｎは整数）等のマニュアル発光モ−ドと、調光発光モ−ド等がある。調光発光モ−ドとは、発光部１００７により発光された光の被写体からの反射光量が設定値となるように、発光部１００７の発光量を被写体に応じて変更して発光するモ−ドである。調光発光モ−ドには、予備発光型調光モ−ド、リアルタイム型調光モ−ド等の発光モ−ドがある。【００７７】
リアルタイム型調光モ−ドでは、ＣＰＵ１００２は、発光部１００７による本発光（撮影時の発光）において発光された照明光の被写体からの反射光量を不図示の調光用受光センサで受光する。ＣＰＵ１００２は、調光用受光センサにより受光した被写体からの反射光量が所定値になると、発光部１００７に発光停止信号を出力し、発光を停止する。なお、リアルタイム型調光モ−ドには、調光用受光センサで受光する被写体反射光が撮像に用いる撮像レンズを通る周知のＴＴＬ調光モ−ドや、調光用受光センサで受光する被写体反射光が撮像に用いる撮像レンズを通らない周知の外部調光モ−ド等がある。【００７８】
予備発光型調光モ−ドでは、ＣＰＵ１００２は、発光部１００７による本発光前に行われる予備発光において、発光された照明光の被写体からの予備発光反射光量を不図示の調光用受光センサで受光する。ＣＰＵ１００２は、調光用受光センサで受光した被写体の予備発光反射光量を基に本発光時の発光量を決定し、該発光量に相当するパルス数を設定する。【００７９】
第一の発光モ−ドには、マニュアル発光モ−ド及び調光発光モ−ドを設定することができる。第二の発光モ−ドに設定可能な発光モ−ドは、マニュアル発光モ−ドである。各マニュアル発光モ−ドに対応する発光量は、パルス数として記憶部１００３に予め記録されている。【００８０】
（ステップ１１５）撮像装置のレリ−ズ等の操作により、発光が指示されたかどうかを判定し、発光が指示された場合は次のステップに進み発光を行う。【００８１】
（ステップ１１６）発光部１００７、撮像装置のレリ−ズタイミング等にタイミングを合わせて第一の発光モ−ドに設定されている発光モ−ドで発光する。第一の発光モ−ドにリアルタイム型調光モ−ドが設定されている場合は、ＣＰＵ１００２は発光停止信号を受信するまで発光部１００７による発光を継続し、発光停止信号を受信すると発光を停止する。パルス積算部１０１５は、発光が開始されてから発光停止信号により発光が停止されるまでにパルスカウント部１０１３によりカウントされたパルスカウント数Ｐｓｉｎを積算パルス数Ｐｉｎｔへ加算する。加算された積算パルス数Ｐｉｎｔは、記憶部１００３又はパルス積算部１０１５に記憶される。【００８２】
第一の発光モ−ドに予備発光型調光モ−ドが設定されている場合は、ＣＰＵ１００２は、パルスカウント部１０１３によりカウントされたパルスカウント数Ｐｓｉｎが、予備発光時に決定された本発光時の発光量に対応した所定パルス数となるまで発光を継続し、パルスカウント数Ｐｓｉｎが所定パルス数となると発光を停止する。発光が停止するとパルスカウント部１０１３によりカウントされたパルスカウント数Ｐｓｉｎまたは予備発光時に決定された発光量に対応した所定パルス数を積算パルス数Ｐｉｎｔに加算する。加算された積算パルス数Ｐｉｎｔは、記憶部１００３又はパルス積算部１０１５に記憶される。【００８３】
第一の発光モ−ドにマニュアル発光モ−ドが設定されている場合は、ＣＰＵ１００２は、パルスカウント部１０１３によりカウントされたパルスカウント数が、設定されているマニュアル発光モ−ドに応じた所定パルス数となるまで発光を継続し、パルスカウント数Ｐｓｉｎが所定パルス数となると発光を停止する。発光が停止すると、パルスカウント部１０１３によりカウントされたパルスカウント数Ｐｓｉｎまたは設定されているマニュアル発光モ−ドに応じた所定パルス数を積算パルス数Ｐｉｎｔに加算する。加算された積算パルス数Ｐｉｎｔは、記憶部１００３又はパルス積算部１０１５に記憶される。【００８４】
（ステップ１１７）待機電流量算出部１００５が、ＣＰＵ１００２のクロックタイマ−による電源オン後の経過時間と、記憶部１００３に記録する単位時間あたりの待機電流量とから待機電流（Ｉｉｎｔ）を積算する。すなわち、待機電流（Ｉｉｎｔ）は、電源オンから現在に至るまでの待機総電流の時間積分値となる。ここで、ＣＰＵ１００２のタイマ−をリセットし、次の一定期間についての待機電流の経過時間のカウントを開始する。【００８５】
（ステップ１１８）ステップ１１７で積算した待機電流（Ｉｉｎｔ）をパルス数Ｐ（Ｉｉｎｔ）に換算し、換算したパルス数Ｐ（Ｉｉｎｔ）をＰｉｎｔに加算する。加算された積算パルス数Ｐｉｎｔは、記憶部１００３又はパルス積算部１０１５に記録される。待機電流とそれに対応するパルス数との関係は、記憶部１００３に予め記録されている。本来パルスは、１パルスに対応する一定の電荷量が既知であるので、この電荷量に対応する待機電流量との相関関係を記憶部１００３に記録しておく。この相関関係は、１パルスに相当する待機電流量として記録してもよいし、１パルスに相当する電荷を使用する待機電流の経過時間として記録してもよい。【００８６】
（ステップ１１９）ＣＰＵ１００２は、積算パルス数Ｐｉｎｔを基に使用電気量を演算する。また、ＣＰＵ１００２は、演算した使用電気量を表示部１００９に表示させる。使用電気量は、その電池が装填されてからの積算パルス数Ｐｉｎｔより演算される。【００８７】
表示部１００９への表示は、ＣＰＵ１００２が、電池の装填時に初期電源容量設定部１０２１に設定される電池の初期電源容量と、使用電気量との差分を演算することで、残電源容量として表示してもよい。残電源容量は、第二の発光モ−ドに対応する発光量での発光可能な残回数として、表示部１００９に表示することとできる。【００８８】
また、表示部１００９への表示形式は、パルス数をそのまま表示したり、パルス数を第二の発光モ−ドに対応する残発光可能回数に換算して表示したり、第一又は第二の発光モ−ドに対応する使用済み発光回数として換算して表示したりすることができる。その他、表示部１００９への表示形式については、残電源容量が直感的に把握できるものであればよく、アナログ的表示やディジタル的表示等のいずれを用いるものでもよい。【００８９】
また、表示部１００９は、液晶表示（ＬＣＤ）の他、有機ＥＬ、無機ＥＬ、プラズマディスプレイ、ＳＥＤ、ＬＥＤディスプレイ等の各種表示装置を用いる構成としてもよい。【００９０】
（ステップ１１ｂ）撮影を終了するかどうかを判断する。撮影を終了する場合には、電源オフとする。撮影を終了しない場合には、ステップ１１２に戻って、この間のステップ１１２〜ステップ１１ｂを実行する。なお、継続して繰り返し撮影する場合には、ステップ１１４等の各種設定は、既に設定済みであるとして変更する必要がない限り省略してもよい。【００９１】
（ステップ１１ｃ）新たな電池の装填がなければ、継続して現在装填されている電池の使用電気量に相当するパルス積算を行う。このため、記憶部１００３又はパルス積算部１０１５が記憶する前回記録したＰｉｎｔの読み出し処理を行う。【００９２】
なお、この実施形態において着脱検出部１００４は、電池の装填有無を検出するセンサで構成してもよい。また、着脱検出部１００４は、電源装填部１０１０の蓋やキャップの開閉センサで構成してもよい。また、着脱検出部１００４から出力される検出信号をトリガ−とするパルス積算部１０１５等の積算パルス数のリセット信号は、操作入力部１００８から入力する構成としてもよい。この場合には、初期電源容量設定部１０２１への初期電源容量の設定操作をトリガ−として、ＣＰＵ１００２が、積算パルス数をリセットする構成としてもよい。【００９３】
また、ＣＰＵ１００２が有する演算機能の一部又は全部は、ＡＳＩＣ等の他の演算装置により置き換え又は協同する構成としてもよい。また、記憶部１００３は、ＲＡＭ１０１６やＲＯＭ１０１８やフラッシュメモリ１０１７の他、レジスタやＥＥＰＲＯＭやＳＲＡＭ等を備える構成としてもよい。【００９４】
上述のごとく、ＣＰＵ１００２は、使用電気量に対応する積算パルス数Ｐｉｎｔを、記憶部１００３又はパルス積算部１０１５に記録する。これにより、使用電気量に対応する積算パルス数Ｐｉｎｔは、電源がオフとされても次の電源オン時に、記録した使用電気量に相当する積算パルス数Ｐｉｎｔを読み出すことで、引き続き積算することが可能となる。すなわち、使用電気量に対応する積算パルス数Ｐｉｎｔは、電源が装填されてからの総計の使用電気量に対応する積算パルス数Ｐｉｎｔとして、新たな電池の装填が着脱検出部１００４で検出されるまで積算される。よって、装填された電池があとどれくらい使用可能かについて、かなり正確な指標とすることが可能である。【００９５】
装填される電池は、その種類により電源容量に相当するパルス数Ｐｍａｘが異なるので各電池に対応する電源容量に相当するパルス数Ｐｍａｘを記憶部１００３に、参照デ−タ等として記録しておくことが望ましい。また、電源に充電電池を用いる場合には、その電池の充電回数や使用回数によって、電池が劣化することが予想されるので、充電回数等によるフル電源容量の劣化関数をデ−タテ−ブル等として記憶部１００３に記録しておいてもよい。これにより、充電電池の既使用回数を入力することで、さらに正確なフル電源容量を基準とする残電源容量を正確に把握することが可能となる。また、電池装填時にその電池の利用可能な電源容量が既知の場合には、初期電源容量設定部１０２１に設定することができる。【００９６】
この発明にかかる撮像装置用の照明装置は、被写体を照明する発光部と、発光部が発光するための電力を供給する着脱可能な電源を装填する電源装填部と、発光部の発光量を検出してパルス数に換算する発光量検出部と、発光量検出部が換算したパルス数を積算して記憶するパルス積算部と、パルス積算部が積算したパルス積算値に基づいて、使用電気量を演算する演算部と、演算した使用電気量を表示する表示部と、を備えるものである。【００９７】
発光部は、好ましくはキセノン管から構成され、撮像装置のレリ−ズ期間に被写体を瞬間的に照射し、撮像に十分な光量を出力できるものである。発光部は、発光制御部により制御される。発光制御部は、スイッチング素子（ＩＧＢＴ）等から構成される。発光制御部は、ＣＰＵに備えてもよい。発光部は、ＣＰＵからの発光指示により発光し、ＣＰＵからの発光停止指令により発光を停止することができる。また、電源部は、好ましくは単三電池（size  AA  battery）やＣＲ１２３などの電池であって、充電可能な蓄電池を備える。また、その電源は大きさや容量等に制限はなく、電源装填部に装填可能であれば各種様様な電池の利用が可能である。【００９８】
なお、上述ではレリ−ズタイミングに応じた発光についての発光量に相当するパルス数を積算パルス数Ｐｉｎｔに加算したが、照明装置の発光部による発光であるならどのような発光であっても積算パルス数Ｐｉｎｔに加算すればよい。例えば、テスト発光モ−ドを有する照明装置の場合、テスト発光を指示する操作部材の操作に応じて、この発光についても上述のレリ−ズタイミング等に応じた発光と同様に、テスト発光に対応してパルスカウント部１０１３でカウントしたパルス数も積算パルス数Ｐｉｎｔに加算する。【００９９】
この場合、図１１のステップ１１５においてテスト発光が指示されたことを検出する。次に、ステップ１１６においてＣＰＵ１００２は、パルスカウント部１０１３によりカウントされたパルスカウント数Ｐｓｉｎが、テスト発光に設定された発光量に対応した所定パルス数となるまで発光を継続し、パルスカウント数Ｐｓｉｎが所定パルス数となると発光を停止する。発光が停止するとパルスカウント部１０１３によりカウントされたパルスカウント数Ｐｓｉｎ又はテスト発光に設定された発光量に対応した所定パルス数を積算パルス数Ｐｉｎｔに加算する。加算された積算パルス数Ｐｉｎｔは、記憶部１００３又はパルス積算部１０１５に記録される。【０１００】
また、例えば一眼レフカメラに代表されるように、照明装置がカメラと別個独立に構成されることが望ましい。この照明装置は、カメラ等の撮像装置と共に用いられるので、発光部の点灯タイミングや消灯タイミングはカメラのレリ−ズやシャッタと連動することが望ましい。しかし、照明装置の消費電力にかかる電源は撮像装置とは別個独立に設けられ、照明装置の消費電力は、照明装置の電源から供給されることが好ましい。【０１０１】
また、この発明にかかる撮像装置用の照明装置は、好ましくは照明装置が電源装填部への電源装填時の電源の容量を設定する初期電源容量設定部を備え、電源は、満充電されたニッケル水素電池又は未使用のリチウムイオン電池又は未使用のマンガン電池又は未使用のアルカリ電池であって、初期電源容量設定部には、電池に対応する初期電池容量が設定され、ＣＰＵは、初期電源容量設定部に設定された初期電池容量と、使用電気量と、に基づいて電源の残電源容量を演算し、表示部は、使用電気量又は該残電源容量を表示するものである。【０１０２】
ここで、電源に用いる電池は満充電又は未使用であることが好ましい。これにより、初期の使用可能電荷量を正確に把握し、初期電源容量設定部に設定することが可能である。ただし、充電電池を使用する場合には、充放電回数と共に電池が劣化することが予想され、劣化と共に満充電であっても使用可能な電池容量が低下することが予想される。このため、初期電源容量設定部には、充電電池の劣化特性に整合させて、実際の使用可能な電池容量を設定するか調整可能とすることが好ましい。【０１０３】
また、表示部が使用電気量を表示する場合には、照明装置のオペレ−タは電池の使用量を表示により確認できるので、好ましい。また、電源容量の残存分として電池の残容量を表示する場合には、その電池があとどれくらい使用できるのかを表示により確認できるので電池交換の準備の指標とでき、さらに好ましい。【０１０４】
また、この発明にかかる撮像装置用の照明装置は、さらに好ましくは照明装置が、発光部の発光モ−ドを設定する発光モ−ド設定部と、マニュアル発光モ−ドの発光量に対応するパルス数を予め記録する記憶部と、を備え、ＣＰＵは、使用電気量又は残電源容量を、マニュアル発光モ−ドでの発光回数に換算し、表示部は、ＣＰＵが換算した発光回数を表示するものである。【０１０５】
これにより、マニュアル発光量に対応する発光回数が表示部に表示されることとなり、照明装置のオペレ−タは、さらに容易に電気使用量や使用可能電気量が確認可能となる。発光モ−ドとは、例えばＭ１／１やＭ１／２、Ｍ１／４等の発光量をマニュアルフル発光に対する分数で表現するものであってもよい。また、発光モ−ドとは、撮影シ−ンに対応したモ−ドであって、例えば、屋内、屋外、晴天、曇り、夜、逆光撮影等の各種撮影環境を表すモ−ドであってもよい。【０１０６】
また、この発明にかかる撮像装置用の照明装置は、好ましくは照明装置が、発光部で発光させる第一の発光モ−ド、又は表示部に表示する発光回数の演算に用いる第二の発光モ−ド、を設定する発光モ−ド設定部と、発光モ−ドの発光量に対応するパルス数を予め記録する記憶部と、を備え、ＣＰＵは、使用電気量又は残電源容量を、発光モ−ド設定部に設定される第二の発光モ−ドでの発光回数に換算し、表示部は、ＣＰＵが換算した発光回数を表示するものである。【０１０７】
これにより、実際に発光部を発光させる際の発光量とは別途独立に、表示部で表示する発光回数の演算に用いる発光量を設定することが可能となる。なお、第一の発光モ−ドにマニュアル発光モ−ドが設定された場合は、第一の発光モ−ドに設定された発光モ−ドを第二の発光モ−ドとして、自動的に設定する構成としてもよい。【０１０８】
また、使用電気量の演算をパルス数で行う場合には、積算パルス数Ｐｉｎｔを第二の設定モ−ドの所定パルス数で除算することで、表示用に設定されたマニュアル発光モ−ドでの総発光回数を得られる。例えば、第一の設定モ−ドとしてＭ１／２を設定し、第二の設定モ−ドとしてＭ１／１を設定する場合には、実際の撮影時の発光にはＭ１／２の発光量で発光部が発光し、表示部にはＭ１／１の発光量で発光する場合の発光回数が表示される。よって、オペレ−タの撮影と表示の自由度が向上するので好ましい。【０１０９】
また、残電源容量の演算をパルス数で行う場合には、そのパルス数を第二の設定モ−ドのパルス数で除算することで、表示用に設定されたパルス数での残発光回数を得られる。例えば、第一の設定モ−ドとしてＭ１／４を設定し、第二の設定モ−ドとしてＭ１／８を設定する場合には、実際の撮影時の発光にはＭ１／４の発光量で発光部が発光し、表示部にはＭ１／８の発光量で発光する場合の残発光可能回数が表示される。この場合、Ｍ１／４の発光量で発光する場合の残発光可能回数を表示することとしてもよい。Ｍ１／４に対応するパルス数は、Ｍ１／８に対応するパルス数の略２倍となるので、Ｍ１／４の発光量で発光する場合の残発光可能回数は、Ｍ１／８の場合の略２分の１となる。よって、オペレ−タの撮影と表示の自由度が向上し、オペレ−タは、電池交換等の目安としてさらに容易に残容量を把握することが可能となり、好ましい。表示部１００９では、照明装置のオペレ−タが指定する任意の指標により、使用電気量や残電源容量を定量的に表示することが可能である。さらに、この表示方法はカスタマイズが可能となる。【０１１０】
また、この発明にかかる撮像装置用の照明装置は、さらに好ましくは照明装置が、照明装置の待機電流量Ｉｉｎｔを算出してパルス数Ｐ（Ｉｉｎｔ）に換算する待機電流量算出部を備え、パルス積算部は、発光量検出部が換算したパルス数Ｐｓｉｎ又は所定パルス数と待機電流量算出部が換算したパルス数Ｐ（Ｉｉｎｔ）とを併せて積算するものである。【０１１１】
これにより、照明装置のオペレ−タはさらに正確に、使用電気量又は残電池容量等を把握できることとなり好ましい。一般に照明装置は、照明する時間以外にも、液晶等表示部での表示用バックライトや駆動回路、記憶装置、ＣＰＵ等において電力を使用して消費する。これらの消費電力は、電源オンしている間、何らかの形で常に発生するが、その消費量の大小は照明装置ごとに異なり、また照明装置の駆動プログラムや撮影環境によっても微妙に異なる。ただし、主として照明装置ごとに固有の待機電流がほぼ決まるので、単位時間あたりの待機電流による使用電気量を予め見積もることも可能である。【０１１２】
また、この発明にかかる撮像装置用の照明装置は、さらに好ましくは待機電流量算出部が、待機電流の流れる期間と、予め記憶部に記録された単位時間あたりの待機電流量と、の積から待機電流量を算出してパルス数に換算するものである。【０１１３】
単位時間あたりの待機電流量は、照明装置の固有の値として予め見積もることが可能なので、正確な電池の使用量を算出可能となる。よって、使用可能な残電池容量を正確に算出することもできる。また、厳密には液晶バックライトやレディ−ＬＥＤ等の点灯非点灯によって、待機電流の大きさはある程度影響される。従って、液晶バックライト等が点灯か非点灯かで２モ−ドの単位時間あたりの待機電流を予め記憶しておくことで、それぞれのモ−ドごとに演算することが好ましい。【０１１４】
例えば、液晶バックライト等の非点灯時には、待機電流が２ミリアンペアであり、液晶バックライトの点灯時には待機電流が２０ミリアンペア等とする。そして、液晶バックライトの点灯時と非点灯時の待機時間を別個にカウントし、それぞれ積算することでさらに厳密な待機電流の総量を演算し、残電源容量の指標とする。これにより、より正確な電池の使用量や残電源容量を知ることも可能となる。【０１１５】
また、この発明にかかる撮像装置用の照明装置は、さらに好ましくは照明装置が、パルス積算部又は記憶部が記憶する積算パルス数Ｐｉｎｔをリセットするリセット信号を入力する操作部と、電源の着脱を検出する着脱検出部とを備え、パルス積算部又は記憶部の積算パルス数Ｐｉｎｔは、操作部からのリセット信号の入力又は着脱検出部による電源の着脱検出によりリセットされるものである。【０１１６】
これにより、新しい電池や満充電された電池が装填された時から、その電池における消費電力等を積算し、把握することが可能となる。また、任意のタイミングからのその電池における使用電気量等を積算し、把握することが可能となる。この場合、パルス積算部を複数設けておき、リセット信号を入力する操作部は複数のパルス積算部ごとに別個独立にリセットするように構成することとしてもよい。そして、着脱検出部によるリセット信号は、すべてのパルス積算部を同時にリセットすることとしてもよい。これにより、オペレ−タは複数の撮影シ−ンにおいて、撮影シ−ンごとに電池の使用量等を把握することも可能となる。【０１１７】
例えば、３つのパルス積算部を設けた場合、電池の初期装填時からのパルス積算を行うパルス積算部と、第一の撮影シ−ンにおけるパルス積算を行うパルス積算部と、第二の撮影シ−ンにおけるパルス積算を行うパルス積算部とすることができる。そして、各パルス積算部ごとに操作部からリセットすることができるので、第三の撮影シ−ンの撮影を行う場合には、例えば、第一の撮影シ−ンにおいて使用したパルス積算部をリセットして、第三の撮影シ−ンのパルス積算部として利用することも可能である。これにより、照明装置のオペレ−タのユ−ティリティがさらに向上し、ユ−ザフレンドリ−な照明装置とすることが可能となる。さらに、さまざまな環境下でバラエティあふれる撮影を行うような場合や、複雑な撮影を行うオペレ−タであっても、撮影シ−ンごとに対応する電池の使用量等を把握することも可能となり、好ましい。
【産業上の利用可能性】
【０１１８】
本発明は、物性の異なる複数種類の電池（アルカリ電池、ニッケル水素電池等）を使用可能な照明装置などの電子装置の分野において、産業上大いに利用することができる。
【図１】
0005552740.tif 000002
【図２】
0005552740.tif 000003
【図３】
0005552740.tif 000004
【図４】
0005552740.tif 000005
【図５】
0005552740.tif 000006
【図６】
0005552740.tif 000007
【図７】
0005552740.tif 000008
【図８】
0005552740.tif 000009
【図９】
0005552740.tif 000010
【図１０】
0005552740.tif 000011
【図１１】
0005552740.tif 000012